(57)【要約】【課題】ユーザが無意識的にPC操作部の殺菌を行うことの可能なPCを提供することを目的とする。【解決手段】ノート型PCであるPC１０１におけるLCD１０５は殺菌可能な紫外線を照射することの可能な紫外線光源を有し、またLCD１０５はその紫外線光源より照射された紫外線をLCD１０５全体より照射可能とする機構を有する。ユーザがPC１０１を折りたたんだ状態にするとヒンジ部１０４に取り付けられた開閉センサがそれを感知し、開閉センサの折りたたみ状態の感知をきっかけにLCD１０５が紫外線を照射することによって、自動的にLCD１０５に対向するLCD対向面１０８の殺菌処理を行う。【選択図】図１
2010067218.tif 000002
【特許請求の範囲】
【請求項１】
本体側筐体と、
前記本体側筐体に支持され、該本体側筐体に対し回動可能、かつ対向可能に取り付けられる表示側筐体と、
前記表示側筐体の前記本体側筐体と対向可能な面に設置され、ユーザに情報を表示する機能を有する表示装置と、
紫外線を照射する紫外線光源と、
前記表示装置に内蔵され、前記紫外線光源を有するバックライトであって、
前記本体側筐体と前記表示側筐体が対向すると、該紫外線光源より照射する前記紫外線を前記本体側筐体の前記表示側筐体に対する対向面に照射するバックライトと
を有することを特徴とする情報処理装置。
【請求項２】
前記紫外線を照射する時間が情報処理装置のステータスに依存することを特徴とする請求項１記載の情報処理装置。
【請求項３】
前記本体側筐体と前記表示側筐体が対向していない状態であった時間が長いほど、前記紫外線を照射する時間が長くなることを特徴とする請求項１記載の情報処理装置。
【請求項４】
前記紫外線を照射する時間が設定可能であることを特徴とする請求項１記載の情報処理装置。
【請求項５】
前記紫外線の照射中に、前記本体側筐体と前記表示側筐体が対向していない状態になると該紫外線の照射を中止することを特徴とする請求項１記載の情報処理装置。
【発明の詳細な説明】
【技術分野】
【０００１】
本発明は、ノート型PC（Personal Computer）に関するものであり、特に画面を閉じたときにPCの操作部に紫外線を照射することにより、操作部の殺菌を行うノート型PCに関する。
【背景技術】
【０００２】
PCは入力装置としてキーボードや、ポインティングデバイスとしてタッチパッド、マウス等が利用されている。ユーザはこれらの入力装置に直接触れることで所定の操作を入力する。
【０００３】
しかしながらPCのキーボード等の入力装置は、さまざまな物に触れた手で操作されることが多く、また複数の人間が共有のPCとして使用する場合もある。このためこれら入力装置は不潔になりがちであるという調査結果が出ており、さらにはこれを操作するユーザの健康への悪影響も懸念されるところである。
【０００４】
例えばPCの筐体内部に殺菌可能な空間を設け、そこにキーボード、マウスを使用後に収納することでキーボード、マウスの殺菌を行うPCが提案されている（特許文献１を参照）。
【特許文献１】特開平７−１６０３６２号公報
【発明の開示】
【発明が解決しようとする課題】
【０００５】
PCの筐体内部に殺菌可能な空間を設けるとすれば、ユーザはPC使用後に自らキーボード等を収納するなど、意識的に殺菌を行うための動作を行わなければならない。ユーザにとってその動作はわずらわしく、また収納を忘れれば殺菌作用を成さない可能性もあった。
【０００６】
本発明は上記問題に鑑みてなされたもので、ユーザは何も意識することなく通常の動作のなかで安全にPC操作部の殺菌を行うことが可能なPCを提供することを目的とする。
【課題を解決するための手段】
【０００７】
本発明にかかる情報処理装置は、本体側筐体と、前記本体側筐体に支持され、該本体側筐体に対し回動可能、かつ対向可能に取り付けられる表示側筐体と、前記表示側筐体の前記本体側筐体と対向可能な面に設置され、ユーザに情報を表示する機能を有する表示装置と、紫外線を照射する紫外線光源と、前記表示装置に内蔵され、前記紫外線光源を有するバックライトであって、前記本体側筐体と前記表示側筐体が対向すると、該紫外線光源より照射する前記紫外線を前記本体側筐体の前記表示側筐体に対する対向面に照射するバックライトと、を有することを特徴としている。
【発明の効果】
【０００８】
本発明によればノート型PCが折りたたまれた状態のときに、キーボード、タッチパッド等の操作部に殺菌可能な紫外線を照射することで、ユーザが意識せず自動的に操作部が殺菌される。
【発明を実施するための最良の形態】
【０００９】
以下、本発明の実施形態を図面を参照しながら説明する。
【００１０】
（第1の実施形態）
本発明にかかる第１の実施形態について図１乃至図５を参照しながら説明する。
【００１１】
図１は本実施形態におけるPC１０１の一例を示す斜視図である。図１にはPC１０１、表示側筐体１０２、本体側筐体１０３、ヒンジ部１０４、LCD１０５、キーボード１０６、タッチパッド１０７、およびLCD対向面１０８が示されている。
【００１２】
PC１０１は、ヒンジ部１０４を通る図１中の軸Aを中心に回動可能に構成されたノート型のPCであり、使用していない時や運搬時には表示画面や操作部を保護するように折りたたまれる折りたたみ構造を有している。
【００１３】
表示側筐体１０２は、PC１０１の使用時にはユーザが見えるように開いた状態の角度で固定され、ユーザの側の面にLCD１０５が設置される。本体側筐体１０３とヒンジ部１０４を介して取り付けられており、ヒンジ部１０４を通る図１中の軸Aを回動軸として回動することが可能である。
【００１４】
本体側筐体１０３はPC１０１の下部側を構成する筐体である。LCD対向面１０８には入力装置としてキーボード１０６、タッチパッド１０７が設置されている。さらに表示側筐体１０２を支持するヒンジ部１０４が辺部に形成されている。
【００１５】
ヒンジ部１０４は表示側筐体１０２と本体側筐体１０３とを接続している。表示側筐体１０２はヒンジ部１０４を中心に閉じる側に回動させると、本体側筐体１０３と重なるように一体化できる。
【００１６】
LCD１０５はたとえば液晶ディスプレイ(Liquid Crystal Display)であり、表示側筐体１０２の本体側筐体１０３と重なる側の面に設置される。PC１０１が出力する画像情報をユーザに表示する機能の他に、殺菌効果を持つ殺菌紫外線を表示面側に向かって照射する機能を有している。ここでいう殺菌効果とは、病原性あるいは有害性のある糸状菌、細菌およびウイルスなどの微生物を死滅させるのに有効性が認められることを指す。
【００１７】
キーボード１０６は本体側筐体１０３の上面に設置され、ユーザが所望のキーを押下したことを検知し、その情報をPC１０１に伝達する機能を有している。
【００１８】
タッチパッド１０７は本体側筐体１０３上部表面に設置され、ユーザが表面を指でなぞるとその動きを検知し、電気信号として取得し、その情報をPC１０１に伝達する機能を有している。
【００１９】
LCD対向面１０８は、表示側筐体１０２を閉じた状態でLCD１０５が殺菌紫外線を照射すると、本体側筐体１０３の上部表面におけるその紫外線が当たる領域を指す。
【００２０】
図２は本実施形態におけるPC１０１の構成の一例を示すブロック図である。図２にはCPU２０１、ノースブリッジ２０２、主メモリ２０３、GPU２０４、VRAM２０５、サウスブリッジ２０６、HDD２０７、BIOS-ROM２０８、EC/KBC２０９、開閉センサ２１０、キーボード１０６、タッチパッド１０７、LCD１０５、電源回路２１１、およびバッテリ２１２が示されている。
【００２１】
CPU２０１は中央演算処理装置（Central Processing Unit）であり、PC１０１全体を制御している。またプログラムを実行し、そのプログラムに応じた所定の処理を実行する機能を有している。
【００２２】
ノースブリッジ２０２は、接続された各構成要素間の通信を実現するバス機能を有している。
【００２３】
主メモリ２０３は半導体メモリにより構成され、CPU２０１がプログラムを処理する際のプログラムおよびデータの格納用領域として利用される。
【００２４】
GPU２０４は画像処理用の半導体チップであり、CPU２０１からの描画指示に従って画像を生成し、LCD１０５に出力する機能を持つ。また、表示側筐体１０２が閉じられた検出情報を入力されるとLCD１０５への画像情報の出力を停止する機能も備えている。
【００２５】
VRAM２０５は半導体メモリにより構成され、LCD１０５に表示される画像情報を保持する機能を持つ。
【００２６】
サウスブリッジ２０６は、接続された各構成要素との間の入出力を制御する機能を有している。
【００２７】
HDD２０７はたとえば磁気ディスク装置であり、PC１０１のデータを保存する不揮発性の領域として利用される。CPU２０１の指示により、記憶されたプログラムやデータを読み出すことができる。
【００２８】
BIOS-ROM２０８はPC１０１の基本的な制御を行うプログラム群（Basic Input Output Subroutine）を記録したROM（Read Only Memory）である。主にOS（Operating System）が立ち上がる前の起動処理を担当する。また、キーボード１０６やタッチパッド１０７に殺菌紫外線を照射する際の殺菌紫外線の照射時間を記録した照射時間データベースを有している。またこの照射時間データベースはPC１０１を制御するOS上から設定することが可能であり、「バッテリモードのときは閉じた状態となっても殺菌紫外線照射を行わない」等のユーザの使い方に適した各種設定ができる。
【００２９】
EC/KBC２０９は、各種の入出力装置を制御する汎用コントローラである。また、PC１０１の表示側筐体１０２の開閉状態の変化によりLCD１０５に殺菌紫外線照射の開始および停止の指示を行う。またタイマを内蔵し、時間を計測する機能を有している。
【００３０】
開閉センサ２１０はヒンジ部１０４に設置され、表示側筐体１０２が開いた状態か、あるいは閉じた状態であるかを検知する機能を有している。開閉センサ２１０は表示側筐体１０２が開いた状態から閉じた状態、またはその逆への変化の情報をGPU２０４や、EC/KBC２０９に出力する。
【００３１】
電源回路２１１は入力電力から必要とされる電力を供給する電力回路である。
【００３２】
バッテリ２１２は、PC１０１をモバイルで使用するとき、外部電力が供給されなくても稼働に必要な電力の供給を可能とする機能を有している。
【００３３】
図３は本実施形態におけるLCD１０５の構造の一例を示す分解斜視図である。図３には画像表示部３０１、白色冷陰極管３０２、紫外線冷陰極管３０３、導光板３０４、およびバックライト３０５が示されている。
【００３４】
LCD１０５は画像表示部３０１とバックライト３０５によって構成されている。画像表示部３０１はバックライト３０５より前面に設置され、GPU２０４から入力された画像情報をユーザに表示する機能を有する。また、バックライト３０５より照射する光を透過させる構造を有している。
【００３５】
白色冷陰極管３０２は、導光板３０４の左右に一対設置されている。白色冷陰極管３０２はLCD１０５に表示した画像を表示する際、表示画像をユーザに見やすくなるように照明する。
【００３６】
紫外線冷陰極管３０３は、導光板３０４の上下に一対設置されている。紫外線冷陰極管３０３はEC/KBC２０９からの指示によって殺菌紫外線を照射する機能を有している。
【００３７】
また、PC１０１は本体が開いた状態のときは白色冷陰極管３０２に電源を供給し、閉じた状態になったときに紫外線冷陰極管３０３へ電源の供給が切り替わるスイッチを有している。そのためPC１０１が開いた状態のときには紫外線冷陰極管３０３は点灯することが無く、これによりユーザは殺菌紫外線を浴びることが無いため安全性が確保される。
【００３８】
本実施形態では白色冷陰極管３０２を導光板３０４に左右に、紫外線冷陰極管３０３は導光板３０４の上下に配置して例示してあるが、これに限定されるものではなく、白色冷陰極管３０２と紫外線冷陰極管３０３は交換し配置してもよい。
【００３９】
また、導光板３０４は側面より入射した白色光又は殺菌紫外線を、画像表示部３０１側の面全体からほぼ均一な光になるよう拡散して放射する構造を有している。
【００４０】
バックライト３０５は白色冷陰極管３０２、紫外線冷陰極管３０３および導光板３０４によって構成される。バックライト３０５はLCD１０５に画像情報を表示する際は白色冷陰極管３０２が点灯し、裏側から白色光を透過させることで画像表示部３０１の表示を見やすくする目的で利用される。一方、閉じた状態では紫外線冷陰極３０３が点灯し殺菌紫外線を導光板３０４の画像表示部３０１側の面全体より画像表示部３０１を透過して照射する。
【００４１】
図４は本実施形態におけるバックライト３０５の構造の一例を示す斜視図である。図４には導光板３０４、白色冷陰極管３０２、反射板４０１、反射ドット４０２、入射光４０３、および射出光４０４が示されている。
【００４２】
反射板４０１は光を反射することが可能であり、白色冷陰極管３０２を囲むようにU字型に設置される。反射板４０１は白色冷陰極管３０２より照射された白色光を反射し、導光板３０４内に入射させる機能を有している。またこの反射板４０１は各白色冷陰極管３０２、紫外線冷陰極管３０３の周囲にもそれぞれ設置されている。
【００４３】
反射ドット４０２は導光板３０４のユーザ対向面の裏面に設置され、白色冷陰極管３０２より導光板３０４内に入射し、反射ドット４０２に衝突した入射光４０３を拡散させる機能を有している。ここで、ユーザ対向面とはユーザがPC１０１を利用する際ユーザに対向する側の面のことを指す。
【００４４】
白色冷陰極管３０２から照射され、導光板３０４に入射した光のうち、導光板３０４内を全反射しながら進む入射光４０３は、導光板３０４から外部に射出することなく導光板３０４中央方向へと向かうが、反射ドット４０２に衝突することで拡散し、光の進路の導光板３０４のユーザ対向面に対する角度が変化する。反射ドット４０２への衝突後の光の多くは導光板３０４のユーザ対向面に衝突しても全反射を起こさず、射出光４０４として導光板３０４外へ射出する。上記のように反射ドット４０２に衝突した入射光４０３は導光板３０４のユーザ対向面から射出光４０４として射出する。また、反射ドット４０２は白色冷陰極管３０２の近傍は導光板３０４に接する部分の面積が小さく、光源から離れるほど導光板３０４に接する部分の面積を大きくする設置ある。この設置方法と反射ドット４０２の設置位置の調整によって導光板３０４はユーザ対向面全体より均一に光を照射することが可能である。
【００４５】
反射ドット４０２は白色冷陰極管３０２に対してのみではなく、紫外線冷陰極管３０３に対しても導光板３０４に同様の構造で設置され、導光板３０４はユーザ対向面より殺菌紫外線を全体から均一に照射することが可能である。
【００４６】
バックライト３０５は上記の構造を持つため、ユーザ対向面全体から均一にLCD対向面１０８に向けて殺菌紫外線を照射することができ、LCD対向面１０８全体を均一に殺菌処理することが可能である。
【００４７】
本実施形態では殺菌紫外線を照射する光源として紫外線冷陰極管３０３を例示しているがこれに限定されるものではなく、紫外線LEDのような紫外線を照射可能な光源であれば適宜代用可能である。
【００４８】
また、本実施形態ではバックライト３０５の構造は上記のように例示しているがユーザ対向面に対し白色光、および殺菌紫外線を照射できる構成であれば、これに限定されるものでは無い。
【００４９】
本実施形態では、上記のようにバックライト３０５に紫外線光源を組み込み、PC１０１が折りたたまれた際に意識せずに自動的に殺菌を行うため、特許文献１のように筐体内に操作部殺菌のための特別のスペース場合のようには、PC１０１の大型化を招くことはない。
【００５０】
図５は本実施形態における殺菌処理システムの動作フローの一例を示すフロー図である。
【００５１】
まず、開閉センサ２１０がPC１０１の開いた状態から閉じた状態への変化を検知し、（S５０１）EC/KBC２０９およびGPU２０４に検知結果の通知を行う。同時に電源からの接続が白色冷陰極管３０２から、紫外線冷陰極管３０３に切り替わる（S５０２）。またGPU２０４は、開閉センサ２１０からのPC１０１の閉じた状態への変化の通知を受けて、LCD１０５への画像情報の出力を停止する（S５０３）。EC/KBC２０９は、開閉センサ２１０よりPC１０１の閉じた状態へ変化の通知を受けて、PC１０１の現ステータスとBIOS-ROM２０８の紫外線照射時間データベースの照合を行う（S５０４）。
【００５２】
ここでいうPC１０１のステータスとは、たとえばPC１０１が外部から電源が供給されている通常起動状態、外部から電源が供給されておらずバッテリ２１２から電源が供給されているバッテリ利用状態、あるいは開いた状態であった時間の長さ等の値が考えられる。他にもサスペンド状態や、ハイバネーション状態等もPC１０１のステータスとして考えられる。PC１０１のステータスとしては例示した以外の状態、値を採用してもかまわない。
【００５３】
次にEC/KBC２０９は照合結果を元にPC１０１の現ステータスに適した紫外線照射時間T１を決定する（S５０５）。次にEC/KBC２０９の指示によって紫外線冷陰極管３０３が殺菌紫外線を発光し、LCD１０５がLCD対向面１０８に対し殺菌紫外線の照射を開始する（S５０６）。殺菌紫外線照射開始後、EC/KBC２０９が内蔵されたタイマによって紫外線照射時間T１の経過を監視し（S５０７）、紫外線照射時間T１の経過を確認すると（Yes）、殺菌紫外線の照射を終了する（S５０９）。後に、閉じた状態の解除の検知と同時に電源の接続が紫外線冷陰極管３０３から、白色冷陰極管３０２へと切り替わり、殺菌処理システムの動作フローが終了する。またS５０７において紫外線照射時間T１を経過しない間（No）は、開閉センサ２１０がPC１０１の開閉状態を監視する（S５０８）。PC１０１が閉じた状態のままなら（Yes）、Ｓ５０７に戻る。PC１０１の閉じた状態が解除になれば（No）、開閉センサ２１０がEC/KBC２０９に閉じた状態の解除を通知しEC/KBC２０９が紫外線冷陰極管３０３の照射終了の指示を行い紫外線の照射を終了する（S５０９）。それと同時に、閉じた状態が解除されると紫外線冷陰極管３０３から白色冷陰極管３０２へと電源の接続が切り替わり（S５１０）、殺菌紫外線の照射が不可能となる。また、開閉センサ２１０からの閉じた状態の解除の通知により、GPU２０４がLCD１０５への画像情報の出力を再開する（S５１１）。以上をもって一連の殺菌処理システムの動作フローは終了する。このとき本実施形態ではＰＣ１０１のステータスは閉じた状態になる前の状態に復帰する。
【００５４】
本実施形態では表示装置としてLCD１０５のような液晶パネルを例示しているが、これに限定されるものではなく、バックライトを有する表示装置であれば紫外線光源を組み込むことで様々な表示装置において本発明は適用可能である。
【００５５】
（第２の実施形態）
本発明における第２の実施形態を、図６を参照しながら説明する。
【００５６】
本実施形態はPC１０１のシャットダウンが行われた場合の殺菌処理システムの動作フローの一例を示している。構成要素は第１の実施形態と同様であるが、EC/KBC２０９はさらに、内蔵するタイマによってPC１０１のシャットダウン後、殺菌処理を行わないまま所定時間が経過したときEC/KBC２０９、および開閉センサ２１０をシャットダウンさせる機能を有する。
【００５７】
図６は本実施形態における殺菌処理システムのフローの一例を示すフロー図である。
【００５８】
まずPC１０１のシャットダウン作業を開始し（S６０１）、通常もシャットダウン後に稼動しているモジュールと、開閉センサ２１０、EC/KBC２０９以外のシャットダウンを完了させる（S６０２）。次にEC/KBC２０９がタイマによってシャットダウン完了から所定時間T２の経過を監視する（S６０３）。この所定時間T2とはシャットダウン完了から殺菌処理待機時間終了までの時間であり、所定時間T2が経過するとEC/KBC２０９は開閉センサ２１０、および自身のシャットダウンを行う。殺菌処理の動作フローとしては、S６０３において所定時間T２が経過した場合（Yes）、開閉センサ２１０、EC/KBC２０９はシャットダウンし（S６１３）、殺菌処理の動作フロー終了となる。このS６０３からS６１３へのフローにより、殺菌処理のために必要なモジュールがPC１０１のシャットダウン後、PC１０１が開いた状態のままであったとしても殺菌処理待機状態のまま放置されることがなく、不要な電力消費を防ぐことができる。
【００５９】
また、S６０３において所定時間T２が経過してない間は（No）、開閉センサ２１０がPC１０１の開いた状態から閉じた状態への変化を監視する（S６０４）。PC１０１が開いた状態のままであるならば（No）、S６０３にもどり所定時間T２が経過するまで開いた状態から閉じた状態への変化の監視を続ける。開閉センサ２１０がPC１０１の開いた状態から閉じた状態への変化を検知する（Yes）と、検知と同時に電源からの接続が白色冷陰極管３０２から、紫外線冷陰極管３０３に切り替わる（Ｓ６０５）。後は第１の実施形態と同様のフローで殺菌処理を行い、S６１２の後に開閉センサ２１０、EC/KBC２０９はシャットダウンし（S６１３）、殺菌処理システムの動作フローは終了となる。
【００６０】
本実施形態では、使用後にユーザがPC１０１をシャットダウンした場合であっても、PC１０１を閉じた状態とすれば殺菌処理が行われるので、ユーザはPC１０１使用後、特に意識することなく定期的に殺菌処理を行うことができる。
【００６１】
本発明では実施形態に拠らずユーザが殺菌処理のための特別な行動をする必要が無く、ユーザが意識せずにPC１０１の操作部の殺菌が可能である。
【００６２】
なお、本発明は上記実施形態そのままに限定されるものではなく、実施段階ではその要旨を逸脱しない範囲で構成要素を変形して具現化できる。また、上記実施形態に開示されている複数の構成要素の適宜な組み合わせにより、種々の発明を形成できる。例えば、実施形態に示される全構成要素から幾つかの構成要素を削除してもよい。さらに、異なる実施形態にわたる構成要素を適宜組み合わせてもよい。
【図面の簡単な説明】
【００６３】
【図１】本発明の第１の実施形態におけるノート型PCの一例を示す斜視図。
【図２】本発明の第１の実施形態におけるノート型PCの構成の一例を示すブロック図。
【図３】本発明の第１の実施形態におけるLCDの構造の一例を示す分解斜視図。
【図４】本発明の第１の実施形態におけるLCDのバックライトの構造の一例を示す斜視図。
【図５】本発明の第１の実施形態における殺菌処理システムの動作フローの一例を示すフロー図。
【図６】本発明の第２の実施形態における殺菌処理システムの動作フローの一例を示すフロー図。
【符号の説明】
【００６４】
１０１：PC
１０２：表示側筐体
１０３：本体側筐体
１０４：ヒンジ部
１０５：LCD
１０６：キーボード
１０７：タッチパッド
１０８：LCD対向面
２０１：CPU
２０２：ノースブリッジ
２０３：主メモリ
２０４：GPU
２０５：VRAM
２０６：サウスブリッジ
２０７：HDD
２０８：BIOS-ROM
２０９：EC/KBC
２１０：開閉センサ
２１１：電源回路
２１２：バッテリ
３０１：画像表示部
３０２：白色冷陰極管
３０３：紫外線冷陰極管
３０４：導光板
３０５：バックライト
４０１：反射板
４０２：反射ドット
４０３：入射光
４０４：射出光
【図１】
2010067218.tif 000003
【図２】
2010067218.tif 000004
【図３】
2010067218.tif 000005
【図４】
2010067218.tif 000006
【図５】
2010067218.tif 000007
【図６】
2010067218.tif 000008